【手続補正書】
【提出日】平成24年5月2日(2012.5.2)
【手続補正１】
【補正対象書類名】特許請求の範囲
【補正対象項目名】全文
【補正方法】変更
【補正の内容】
【特許請求の範囲】
【請求項１】
経皮的穿刺アクセス部位で所望の程度の止血を維持するために、使用者が患者の橈骨動脈に対し変動する加圧を加えることができるよう構成した橈骨動脈圧迫デバイスにおいて、
使用者が握って回転するよう構成したノブと、
前記ノブに係合するよう構成した本体であって、前記ノブを前記本体に対して回転させるとともに、前記本体に対して定めた位置での固定を維持することができるよう構成した、該本体と、
圧迫パッドと、
剛性材料で形成し、また前記本体に貫通させて配置するネジ軸であって、前記ノブと前記圧迫パッドとの間に位置決めし、前記ノブを前記本体に対して回転させるとき、前記本体に対し前記圧迫パッドを移動するよう構成した、該ネジ軸と、
前記圧迫パッドが患者の手首に隣接して位置決めすることができるよう、前記橈骨動脈の領域で患者の手首の下側に前記本体を固定するバンドと、
を備え、
使用者が前記ノブを回転させて、前記患者の手首に変化する加圧を加えるよう、第１位置と少なくとも第２位置との間で前記圧迫パッドを選択的に移動し、
前記圧迫パッドが第１位置にあるとき、前記圧迫パッドが、前記本体に隣接して位置し、前記患者の手首に対しより小さい量の圧力を加え、前記圧迫パッドが第２位置にあるとき、前記圧迫パッドが、前記本体から所定量の変位位置に位置し、前記患者の手首に対してより大きい量の圧力を加えるよう構成した、
橈骨動脈圧迫デバイス。
【請求項２】
請求項１に記載の橈骨動脈圧迫デバイスにおいて、
前記ネジ軸を前記圧迫パッドと一体構成にし、
前記ノブは、さらに、前記ネジ軸のネジ山にネジ係合するネジ山を有し、前記ノブを回転することにより、前記本体に対し前記ネジ軸及び前記圧迫パッドをさせる構成とした、橈骨動脈圧迫デバイス。
【請求項３】
請求項２に記載の橈骨動脈圧迫デバイスにおいて、前記ノブを時計方向に回転して、前記ネジ軸及び前記圧迫パッドを前記本体に向けて後退した位置に移動し、また前記ノブを反時計方向に回転して、前記ネジ軸及び前記圧迫パッドを前記本体から離れ、前記患者の手首及び橈骨動脈に向かって突出するよう構成した、橈骨動脈圧迫デバイス。
【請求項４】
請求項１に記載の橈骨動脈圧迫デバイスにおいて、
前記ネジ軸を前記圧迫パッドに一体構成とし、
前記圧迫パッドには、さらに、前記ネジ軸のネジ山に噛み合うネジ山を有し、前記ノブを回転することにより、前記ネジ軸の回転を生じて前記本体に対し前記圧迫パッドを移動させる構成とした、橈骨動脈圧迫デバイス。
【請求項５】
請求項４に記載の橈骨動脈圧迫デバイスにおいて、
前記本体は、さらに、前記ノブの部分に係合するよう構成した旋回自在な保持ブラケットを有し、前記ノブを前記本体に対する定位置に固定するとともに、前記ノブを前記本体に対して回転させることができる構成とし、
前記旋回自在な保持ブラケットは、前記本体に対して旋回し、前記ネジ軸が前記本体に貫通できるようにし、また前記ノブを前記保持ブラケットにより固定するよう適切に位置決めできるよう構成した、橈骨動脈圧迫デバイス。
【請求項６】
請求項１に記載の橈骨動脈圧迫デバイスにおいて、前記橈骨動脈圧迫デバイスを前記患者の手首の下側に固定するとき、前記ノブを回転して、前記圧迫パッドを前記本体から離れるよう前記患者の手首及び橈骨動脈に向けて突出させ、前記圧迫パッドが前記患者の橈骨動脈に圧力を徐々に加えるよう構成した、橈骨動脈圧迫デバイス。
【請求項７】
請求項６に記載の橈骨動脈圧迫デバイスにおいて、前記圧迫パッドは、血が前記橈骨動脈の切開部から流出するように前記橈骨動脈に圧力を加える構成とし、これにより前記切開部での止血を行う、橈骨動脈圧迫デバイス。
【請求項８】
請求項７に記載の橈骨動脈圧迫デバイスにおいて、
前記圧迫パッドは、前記橈骨動脈に圧力を加えるとともに、医療手術を行うために前記切開部からシースを挿入するように構成し、
血が前記シース周りおよび前記切開部から流出するのを阻止するよう、前記圧力を加え、これにより、前記切開部での止血を行う、橈骨動脈圧迫デバイス。
【請求項９】
請求項７に記載の橈骨動脈圧迫デバイスにおいて、
前記圧迫パッドは、前記橈骨動脈に圧力を加えるとともに、医療処置を行うよう前記切開部からカテーテルを挿入する構成とし、
血が前記カテーテル周りおよび前記切開部から流出するように前記圧力を加える構成とし、これにより、前記切開部での止血を行う、橈骨動脈圧迫デバイス。
【請求項１０】
請求項１に記載の橈骨動脈圧迫デバイスにおいて、
前記本体の少なくとも一部分が、前記患者の手首の下側における少なくとも一部分に適合する輪郭となるよう、前記本体を構成した、橈骨動脈圧迫デバイス。
【請求項１１】
請求項１に記載の橈骨動脈圧迫デバイスにおいて、前記ノブはカラーを有し、前記本体は前記ノブの前記カラーに係合することにより前記ノブに係合する、橈骨動脈圧迫デバイス。
【請求項１２】
請求項１１に記載の橈骨動脈圧迫デバイスにおいて、前記本体は、さらに、前記ノブの前記カラーに係合する旋回自在な保持ブラケットを有する構成とした、橈骨動脈圧迫デバイス。
【請求項１３】
請求項１に記載の橈骨動脈圧迫デバイスにおいて、前記圧迫パッドは、ディスク形状とした、橈骨動脈圧迫デバイス。
【請求項１４】
請求項１３に記載の橈骨動脈圧迫デバイスにおいて、
前記圧迫パッドは、さらに、前記圧迫パッドの前記ディスク形状の周囲に少なくとも一つのノッチを有する構成とし、
前記ノッチは、穿刺アクセス部位で挿入するデバイスの少なくとも周りを少なくとも部分的に包囲し、これにより、前記穿刺アクセス部位および部分的に前記挿入した前記デバイスの周りで前記橈骨動脈に圧力を加える支援を行うよう構成した、橈骨動脈圧迫デバイス。
【請求項１５】
請求項１３に記載の橈骨動脈圧迫デバイスにおいて、前記圧迫パッドは、前記患者の手首に隣接する表面に段差を有し、医療処置中、前記圧迫パッドが前記橈骨動脈内のデバイスの一部分を少なくとも部分的に適合する輪郭となるように、前記段差を構成した橈骨動脈圧迫デバイス。
【請求項１６】
請求項１に記載の橈骨動脈圧迫デバイスにおいて、前記本体は、さらに、前記圧迫パッドを前記本体に向けて完全に後退させるとき、前記本体が前記圧迫パッドを収容する窪みを有する構成とした、橈骨動脈圧迫デバイス。
【請求項１７】
経皮的穿刺アクセス部位で所望の程度の止血を維持するために、使用者が患者の橈骨動脈に対し変化する圧力を加えることができるよう構成した橈骨動脈圧迫デバイスにおいて、
本体と、
該本体に対し回転できるように、前記本体に隣接して位置決めした回転部材と、
該回転部材に操作可能に連結した圧迫パッドと、
剛性材料で形成し、また前記本体に貫通させて配置するネジ軸であって、前記本体と前記圧迫パッドとの間に位置決めし、前記回転部材を前記本体に対し回転するとき、前記本体に対し前記圧迫パッドを移動し、しかも前記回転部材の回転が前記圧迫パッドの回転方向の向きに影響を与えないよう構成した、該ネジ軸と、
前記橈骨動脈に対応する患者の手首に対して前記本体の位置を固定するよう構成した固定部材であって、前記回転部材の第１方向への回転が、前記圧迫パッドにより前記橈骨動脈に加える圧迫量を増大し、前記回転部材の第２方向への回転が、前記圧迫パッドにより前記橈骨動脈に加える圧迫量を減少するよう構成した、該固定部材と
を備える、橈骨動脈圧迫デバイス。
【請求項１８】
請求項１７に記載の橈骨動脈圧迫デバイスにおいて、さらに、第２ネジ軸を備えた、橈骨動脈圧迫デバイス。
【請求項１９】
請求項１８に記載の橈骨動脈圧迫デバイスにおいて、前記第２ネジ軸を、前記圧迫パッドに一体的に結合した、橈骨動脈圧迫デバイス。
【請求項２０】
請求項１７に記載の橈骨動脈圧迫デバイスにおいて、前記回転部材の回転により前記ネジ軸の回転を生ずるよう、前記ネジ軸を前記回転部材に確実に結合する、橈骨動脈圧迫デバイス。
【請求項２１】
請求項１８に記載の橈骨動脈圧迫デバイスにおいて、前記第２ネジ軸は、前記ネジ軸に螺合する構成とした、橈骨動脈圧迫デバイス。
【請求項２２】
請求項２１に記載の橈骨動脈圧迫デバイスにおいて、前記ネジ軸は、前記ネジ軸の壁の外径部にネジ山を有し、かつ、前記ネジ軸の壁の内径部にネジ山を有する構成とした、橈骨動脈圧迫デバイス。
【請求項２３】
請求項２２に記載の橈骨動脈圧迫デバイスにおいて、前記第２ネジ軸は、前記ネジ軸の前記壁における前記内径部の前記ネジ山に螺合する構成とした、橈骨動脈圧迫デバイス。
【請求項２４】
請求項２２に記載の橈骨動脈圧迫デバイスにおいて、前記ネジ軸の前記壁における前記外径部の前記ネジ山は、前記本体に螺合する構成とした、橈骨動脈圧迫デバイス。
【請求項２５】
請求項１７に記載の橈骨動脈圧迫デバイスにおいて、さらに、前記回転部材の回転中、前記圧迫パッドの前記回転方向の向きを固定するために、前記圧迫パッドに固定する本体係合支柱を備えた、橈骨動脈圧迫デバイス。
【請求項２６】
橈骨動脈圧迫デバイスにおいて、
本体と、
該本体に対し回転することができるよう、前記本体に隣接して位置決めした回転部材と、
圧迫パッドと、
剛体材料で形成し、また前記本体に貫通させて配置するネジ軸であって、前記本体と前記圧迫パッドとの間に位置決めし、前記回転部材を前記本体に対し回転するとき、前記本体に対し前記圧迫パッドを移動するよう構成した、該ネジ軸と、
施術者に、前記圧迫パッドにより与える圧迫量を増加させるが、前記圧迫パッドにより与える圧迫量を減少させる前記圧迫パッドの動きを制御させるよう構成し、施術者に、処置の全過程にわたり、所望程度の圧迫が不慮に解除または不要な除去を最小にするよう、前記橈骨動脈圧迫デバイスを用いて、所望の程度の圧迫を加えるように構成した圧迫パッド固定機構と、
を備える、橈骨動脈の圧迫に用いるデバイス。
【請求項２７】
請求項２６に記載の橈骨動脈圧迫デバイスにおいて、前記圧迫パッドにより与える圧迫量を減少させるために、使用者は、前記圧迫パッド固定部材の構成部分を操作する構成とした、橈骨動脈圧迫デバイス。
【請求項２８】
請求項２６に記載の橈骨動脈圧迫デバイスにおいて、前記圧迫パッド固定部材により前記回転部材の回転を制御する、橈骨動脈圧迫デバイス。
【請求項２９】
請求項２８に記載の橈骨動脈圧迫デバイスにおいて、前記圧迫パッド固定部材により、前記回転部材の第１方向への回転を可能にするが、前記回転部材の第２方向への回転を制御する、橈骨動脈圧迫デバイス。
【請求項３０】
請求項２９に記載の橈骨動脈圧迫デバイスにおいて、前記圧迫パッド固定部材は、前記回転部材の第１方向への回転を可能にするが、前記回転部材の第２方向への回転を制御する、ラチェット機構を有する回転部材固定デバイスを有する構成とした、橈骨動脈圧迫デバイス。
【請求項３１】
請求項３０に記載の橈骨動脈圧迫デバイスにおいて、回転部材固定デバイスは、使用者が、前記回転部材の第２方向への回転を可能にするラチェット係合部材を操作して、前記回転部材の第１方向への回転を可能にするが、前記回転部材の第２方向への回転を制御する、ラチェット係合部材を有する構成とした、橈骨動脈圧迫デバイス。
【請求項３２】
経皮的穿刺アクセス部位で所望の程度の止血を維持するために、使用者が患者の橈骨動脈に対し変化する圧力を加えることができるよう構成した橈骨動脈圧迫デバイスにおいて、
本体と、
該本体に対し回転させることができるよう、前記本体に隣接して位置決めした回転部材と、
該回転部材に操作可能に連結した圧迫パッドと、
前記回転部材と前記圧迫パッドとの間に位置決めし、前記本体に対し前記回転部材を移動するように前記本体に螺合するシャフトと、
前記回転部材と前記圧迫パッドとの間に位置決めし、第１軸と第２軸との間の係合により、前記圧迫パッドにより与える圧迫量の複合を生ずる第２軸と、
を備えた、橈骨動脈圧迫デバイス。
【請求項３３】
請求項３２に記載の橈骨動脈圧迫デバイスにおいて、前記回転部材を回転させることにより、前記回転部材を、前記本体に向かってまたは前記本体から離れる方向に、軸線方向に移動する、橈骨動脈圧迫デバイス。
【請求項３４】
請求項３２に記載の橈骨動脈圧迫デバイスにおいて、前記回転部材を回転させることにより、前記圧迫パッドを、前記本体に向けてまたは前記本体から離れる方向に、軸線方向に移動する、橈骨動脈圧迫デバイス。
【請求項３５】
請求項３４に記載の橈骨動脈圧迫デバイスにおいて、前記圧迫量の前記複合により、前記回転部材の所定の回転量に基づく前記本体に対する前記回転部材の軸線方向の移動量よりも、前記回転部材の所定の回転量に基づく前記本体に対する前記圧迫パッドの軸線方向の移動量が、より大きくなるようにした、橈骨動脈圧迫デバイス。
【請求項３６】
請求項３５に記載の橈骨動脈圧迫デバイスにおいて、前記圧迫パッドは、ネジ部材を有する、橈骨動脈圧迫デバイス。
【請求項３７】
請求項３６に記載の橈骨動脈圧迫デバイスにおいて、前記回転部材と前記圧迫パッドとの間に位置決めする軸により、前記圧迫パッドの前記ネジ部材を螺合する、橈骨動脈圧迫デバイス。
【請求項３８】
請求項３７に記載の橈骨動脈圧迫デバイスにおいて、前記ネジ軸の１つ及び前記ネジ部材は、前記本体に貫通して位置するネジ付き開口部に螺合する、橈骨動脈圧迫デバイス。
【請求項３９】
請求項３７に記載の橈骨動脈圧迫デバイスにおいて、前記圧迫パッドの前記ネジ部材は、ネジ軸を有する構成とした、橈骨動脈圧迫デバイス。
【請求項４０】
請求項３２に記載の橈骨動脈圧迫デバイスにおいて、さらに、表示ウィンドウを備えた、橈骨動脈圧迫デバイス。
【請求項４１】
請求項４０に記載の橈骨動脈圧迫デバイスにおいて、前記表示ウィンドウを、前記回転部材の中央空洞内に配置した、橈骨動脈圧迫デバイス。